(57)【要約】【課題】左岸用コテを容易に保持して持ち運ぶことができ、保管にも便利で、かつ、使用の際に容易に左官用コテを選択することができる左官用バケツを提供する。【解決手段】バケツ本体１１の外周面に、左官用コテの柄を挿入可能な円筒状の保持部１３が間隔を開けて複数設けられており、左官用コテは、刃を外側にして柄を保持部１３に挿入することにより、左官用バケツ１０に保持されるようになっている。保持部１３は、内径の大きさの異なるものが複数種設けられることが好ましい。【選択図】図１
0003207178.tif 000002
【実用新案登録請求の範囲】
【請求項１】
上面が開口されたバケツ本体の外周面に、左官用コテの柄を挿入可能な円筒状の保持部が、間隔を開けて複数設けられたことを特徴とする左官用バケツ。
【請求項２】
前記保持部は、内径の大きさの異なるものが複数種設けられたことを特徴とする請求項１記載の左官用バケツ。
【請求項３】
前記保持部は、把持部の取付部の両側から、内径の大きい順に並べて配設されたことを特徴とする請求項２記載の左官用バケツ。
【考案の詳細な説明】
【技術分野】
【０００１】
本考案は、左官工事に適した左官用バケツに関する。
【背景技術】
【０００２】
左官工事では、例えば、左官用コテと左官用バケツが必須の用具である。従来の左官用バケツは、例えば、一般的なバケツと変わらず、単に上面が開口されたものであるので、左官用バケツの中に左官用コテを入れて持ち運びするのが一般的である。しかしながら、複数の左官用コテを乱雑に左官用バケツに入れてしまう場合もあり、使用の際に、目的とする左官用コテをさがすのが大変であるという問題があった。また、作業の後に左官用コテを洗って左官用バケツの中に入れておくと、左官用コテが乾きにくく、錆が発生してしまう場合があるという問題もあった。
【先行技術文献】
【特許文献】
【０００３】
【特許文献１】特開２０１１−８７６０３号公報
【考案の概要】
【考案が解決しようとする課題】
【０００４】
本考案は、このような問題に基づきなされたものであり、左岸用コテを容易に保持して持ち運ぶことができ、保管にも便利で、かつ、使用の際に容易に左官用コテを選択することができる左官用バケツを提供することを目的とする。
【０００５】
なお、特許文献１には、清掃用バケツに関し、把持部に開口を設け、清掃器具を把持部に起立して支持することができるようにすることが記載されている。しかし、特許文献１は清掃用バケツであり、把持部に開口を設けているので本考案とは具体的な構成が異なる。
【課題を解決するための手段】
【０００６】
本考案の左官用バケツは、上面が開口されたバケツ本体の周面に、左官用コテの柄を挿入可能な円筒状の保持部が、間隔を開けて複数設けられたものである。
【考案の効果】
【０００７】
本考案によれば、バケツ本体の外周面に、円筒状の保持部を設けるようにしたので、保持部に左官用コテの柄を挿入することにより、左官用バケツと共に左官用コテを容易に持ち運ぶことができると共に、保管することができる。また、左官工事の後、洗浄して左官用コテの柄を保持部に挿入すれば、左官用コテが乾きやすく、錆の発生を抑制することができる。更に、バケツ本体の外周面に保持部を設けているので、作業の際に左官用バケツの外側から見て、必要な左官用コテを容易に選択することができる。
【０００８】
また、内径の大きさの異なる保持部を複数種設けるようにすれば、大きさの異なる左官用コテを大きさに合わせて保持部に挿入することができる。よって、がたつきを抑制し、安定して保持することができる。
【０００９】
更に、把持部の取付部の両側から、内径の大きい順に並べて保持部を配設するようにすれば、大きい左官用コテを把持部の取付部の近くで保持することができ、より安定して保持することができる。
【図面の簡単な説明】
【００１０】
【図１】本考案の一実施の形態に係る左官用バケツを横から見た構成を表す図である。
【図２】図１に示した左官用バケツを上から見た構成を表す図である。
【図３】図１に示した左官用バケツに左官用コテを挿入した状態を表す図である。
【考案を実施するための形態】
【００１１】
以下、本考案の実施の形態について、図面を参照して詳細に説明する。
【００１２】
図１は、本考案の一実施の形態に係る左官用バケツを横から見た構成を表すものである。図２は、図１に示した左官用バケツを上から見た構成を表すものである。図３は、図１に示した左官用バケツに左官用コテを挿入した状態を表すものである。この左官用バケツ１０は、上面が開口されたバケツ本体１１と、バケツ本体１１に配設された把持部１２とを備えている。
【００１３】
バケツ本体１１の外周面には、左官用コテ２０の柄２１を挿入可能な円筒状の保持部１３が間隔を開けて複数設けられている。左官用コテ２０は、刃２２を外側にして柄２１を保持部１３に挿入することにより、左官用バケツ１０に保持されるようになっている。保持部１３は、バケツ本体１１の上側、例えば、上端部近傍に配設されていることが好ましい。
【００１４】
保持部１３は、内径の大きさの異なるものが複数種設けられることが好ましい。左官用コテ２０の大きさに合わせて保持することができるからである。例えば、内径が３８ｍｍから４２ｍｍの第１保持部１３Ａと、内径が３３ｍｍ〜３７ｍｍの第２保持部１３Ｂと、内径が２８ｍｍ〜３２ｍｍの第３保持部１３Ｃと３種類設けるようにすれば、各種の左官用コテ２０に対応することができるので好ましい。
【００１５】
また、保持部１３は、把持部１２の取付部１２Ａの両側から、内径の大きい順に並べて配設されることが好ましい。大きい左官用コテ２０を把持部１２の取付部１２Ａの近くで保持した方が安定して保持することができるからである。保持部１３は、把持部１２の取付部１２Ａの両側に対称的に配置されることが好ましく、一方の取付部１２Ａの側と、他方の取付部１２Ａの側とについても、対称的に配置されることが好ましい。安定して保持することができるからである。
【００１６】
例えば、各取付部１２Ａの両側から、それぞれ、第１保持部１３Ａ、第２保持部１３Ｂ、及び、第３保持部１３Ｃの順に、対称的に間隔を開けて並べて配置することが好ましい。第１保持部１３Ａと第２保持部１３Ｂとの間の長さは、例えば、４０ｍｍ〜５０ｍｍとすることが好ましく、第２保持部１３Ｂと第３保持部１３Ｃとの間の長さは、例えば、３０ｍｍ〜４０ｍｍとすることが好ましい。なお、第１保持部１３Ａと第２保持部１３Ｂとの間の長さは、第１保持部１３Ａの外周面と第２保持部１３Ｂの外周面との間に長さであり、第２保持部１３Ｂと第３保持部１３Ｃとの間の長さは、第２保持部１３Ｂの外周面と第３保持部１３Ｃの外周面との間の長さである。
【００１７】
このように本実施の形態によれば、バケツ本体１１の外周面に、円筒状の保持部１３を設けるようにしたので、保持部１３に左官用コテ２０の柄２１を挿入することにより、左官用バケツ１０と共に左官用コテ２０を容易に持ち運ぶことができると共に、保管することができる。また、左官工事の後、洗浄して左官用コテ２０の柄２１を保持部１３に挿入すれば、左官用コテ２０が乾きやすく、錆の発生を抑制することができる。更に、バケツ本体１１の外周面に保持部１３を設けているので、作業の際に左官用バケツ１０の外側から見て、必要な左官用コテ２０を容易に選択することができる。
【００１８】
また、内径の大きさの異なる保持部１３を複数種設けるようにすれば、大きさの異なる左官用コテ２０を大きさに合わせて保持部１３に挿入することができる。よって、がたつきを抑制し、安定して保持することができる。
【００１９】
更に、把持部１２の取付部１２Ａの両側から、内径の大きい順に並べて保持部１３を配設するようにすれば、大きい左官用コテ２０を把持部１２の取付部１２Ａの近くで保持することができ、より安定して保持することができる。
【００２０】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。
【符号の説明】
【００２１】
１０…左官用バケツ、１１…バケツ本体、１２…把持部、１２Ａ…取付部、１３…保持部、１３Ａ…第１保持部、１３Ｂ…第２保持部、１３Ｃ…第３保持部、２０…左官用コテ、２１…柄、２２…刃
【図１】
0003207178.tif 000003
【図２】
0003207178.tif 000004
【図３】
0003207178.tif 000005